【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
単一のワイヤレス装置において、サービス接続を確立するためにプライマリ受信機とダイバーシティ受信機とにおいて受信される複数の異なる無線通信プロトコルを処理するように、プライマリアンテナに結合された入力を有する前記プライマリ受信機とダイバーシティアンテナに結合された入力を有する前記ダイバーシティ受信機とを構成するステップであって、前記処理は、各無線通信プロトコルについて、
前記複数の異なる無線通信プロトコルのうちの第1の無線通信プロトコルの第1の複数の信号周波数について検出されたエネルギーレベルに対応する補償係数を生成するステップであって、前記補償係数を生成するステップは、
同じ周波数を有する1つまたは複数の外部RF信号を同時に受信するように、前記プライマリ受信機と前記ダイバーシティ受信機とを再構成するステップと、
前記プライマリ受信機についての1つまたは複数の第1の検出されたエネルギーレベルと、前記ダイバーシティ受信機についての1つまたは複数の第2の検出されたエネルギーレベルとを生成するため、前記同じ周波数を有する前記外部RF信号の各々を検出するステップと
を備える、生成するステップと、
前記第1の無線通信プロトコルの第2の複数の信号周波数を同時に受信するように、前記単一のワイヤレス装置の前記プライマリ受信機と前記ダイバーシティ受信機とを構成するステップであって、前記プライマリ受信機が、前記第2の複数の信号周波数のうちの前記ダイバーシティ受信機とは異なる信号周波数を受信するように構成される、構成するステップと、
前記プライマリ受信機と前記ダイバーシティ受信機とにおいて受信した前記第2の複数の信号周波数の内の複数の第3のエネルギーレベルを検出するステップと、
補償されたエネルギーレベルを生成するために、前記第1の検出されたエネルギーレベルと前記第2の検出されたエネルギーレベルとの間の差に基づいて、異なる経路損失について、前記プライマリ受信機または前記ダイバーシティ受信機のうちの1つからの前記第3の検出されたエネルギーレベルを修正するステップと、
前記プライマリ受信機からの前記補償されたエネルギーレベルと前記ダイバーシティ受信機からの前記第3の検出されたエネルギーレベルとのうちの1つ、または、
前記ダイバーシティ受信機からの前記補償されたエネルギーレベルと前記プライマリ受信機からの前記第3の検出されたエネルギーレベルとのうちの1つ
を使用する、前記補償されたエネルギーレベルに基づいて、前記サービス接続を確立するステップと
を備える、構成するステップ
を備える、方法。
【請求項２】
連続的に構成するステップが、
前記第2の複数の信号周波数の第1の信号周波数を受信するように、前記プライマリ受信機を構成するステップと、
前記第2の複数の信号周波数の第2の信号周波数を受信するように、前記ダイバーシティ受信機を構成するステップであって、前記第2の信号周波数が前記第1の信号周波数とは異なる、ステップと、
前記プライマリ受信機における前記第1の信号周波数と、前記ダイバーシティ受信機における前記第2の信号周波数とを同時に処理するステップと、
前記第2の複数の信号周波数の第1の部分の信号周波数のために前記プライマリ受信機を構成する前記ステップを実行し、前記第2の複数の信号周波数の第2の部分の信号周波数のために前記ダイバーシティ受信機を構成する前記ステップを実行し、前記第1および第2の部分の周波数の各々について同時に処理する前記ステップを繰り返すステップと
を備える、請求項1に記載の方法。
【請求項３】
前記同じ周波数を有する前記外部RF信号の各々を検出するステップが、
前記プライマリ受信機における第1の複数のサンプルと、前記ダイバーシティ受信機における第2の複数のサンプルとを生成するために、前記プライマリ受信機と前記ダイバーシティ受信機とにおいて前記同じ周波数を有する信号の各々をサンプリングするステップと、
前記同じ周波数を有する信号の各々について、前記第1の複数のサンプルと前記第2の複数のサンプルとの平均を生成するステップと
を備える、請求項1に記載の方法。
【請求項４】
前記プライマリ受信機が前記第1の無線通信プロトコルの第1の帯域を処理し、前記ダイバーシティ受信機が前記第1の無線通信プロトコルの第2の帯域を処理する、請求項1に記載の方法。
【請求項５】
前記第1の複数の信号周波数が前記第2の複数の信号周波数とは異なるとともに、前記第1および前記第2の複数の信号周波数が単一の周波数帯域内の複数のチャネルである、請求項1に記載の方法。
【請求項６】
前記複数のチャネルが前記単一の周波数帯域のチャネルすべてを含む、請求項5に記載の方法。
【請求項７】
前記プライマリ受信機または前記ダイバーシティ受信機のうちの一方からの前記補償されたエネルギーレベルと、前記プライマリ受信機または前記ダイバーシティ受信機のうちの他方からの前記第3の検出されたエネルギーレベルとを整列されたリスト内に記憶するステップをさらに備える、請求項1に記載の方法。
【請求項８】
前記プライマリ受信機および前記ダイバーシティ受信機が、前記複数の異なる無線通信プロトコルを処理するように構成された単一のベースバンドプロセッサを備える、請求項1に記載の方法。
【請求項９】
プライマリアンテナに結合された入力を有するプライマリ受信機と、
ダイバーシティアンテナに結合された入力を有するダイバーシティ受信機と、
プロセッサと
を備え、
前記プライマリ受信機と前記ダイバーシティ受信機とが、単一のワイヤレス装置の一部であり、
前記プライマリ受信機と前記ダイバーシティ受信機とが、サービス接続を確立するために前記プライマリ受信機と前記ダイバーシティ受信機とにおいて受信される複数の異なる無線通信プロトコルを処理するように構成され、前記処理は、各無線通信プロトコルについて、
前記複数の異なる無線通信プロトコルのうちの第1の無線通信プロトコルの第1の複数の信号周波数について検出されたエネルギーレベルに対応する補償係数を生成するステップであって、前記補償係数を生成するステップは、
同じ周波数を有する1つまたは複数の外部RF信号を同時に受信するように、前記プライマリ受信機と前記ダイバーシティ受信機とを再構成するステップと、
前記プライマリ受信機についての1つまたは複数の第1の検出されたエネルギーレベルと、前記ダイバーシティ受信機についての1つまたは複数の第2の検出されたエネルギーレベルとを生成するため、前記同じ周波数を有する前記外部RF信号の各々を検出するステップと
を備える、生成するステップと、
前記第1の無線通信プロトコルの第2の複数の信号周波数を同時に受信するように、前記単一のワイヤレス装置の前記プライマリ受信機と前記ダイバーシティ受信機とを構成するステップであって、前記プライマリ受信機が、前記第2の複数の信号周波数のうちの前記ダイバーシティ受信機とは異なる信号周波数を受信するように構成される、構成するステップと、
前記プライマリ受信機と前記ダイバーシティ受信機とにおいて受信した前記第2の複数の信号周波数の内の複数の第3のエネルギーレベルを検出するステップと、
補償されたエネルギーレベルを生成するために、前記第1の検出されたエネルギーレベルと前記第2の検出されたエネルギーレベルとの間の差に基づいて、異なる経路損失について、前記プライマリ受信機または前記ダイバーシティ受信機のうちの1つからの前記第3の検出されたエネルギーレベルを修正するステップと、
前記プライマリ受信機からの前記補償されたエネルギーレベルと前記ダイバーシティ受信機からの前記第3の検出されたエネルギーレベルとのうちの1つ、または、
前記ダイバーシティ受信機からの前記補償されたエネルギーレベルと前記プライマリ受信機からの前記第3の検出されたエネルギーレベルとのうちの1つ
を使用する、前記補償されたエネルギーレベルに基づいて、前記サービス接続を確立するステップと
を備える、装置。
【請求項１０】
前記プロセッサが、
前記プライマリ受信機における第1の複数のサンプルと、前記ダイバーシティ受信機における第2の複数のサンプルとを生成するために、前記プライマリ受信機と前記ダイバーシティ受信機とにおいて前記同じ周波数を有する信号の各々をサンプリングするように前記プライマリ受信機と前記ダイバーシティ受信機とを構成し、
前記同じ周波数を有する信号の各々において、前記第1の複数のサンプルと前記第2の複数のサンプルとの平均を生成する
ように動作可能である、請求項9に記載の装置。